(57)【要約】【課題】アクション全体を軽量化することにより、タッチ重さの軽減および応答性の向上を図ることができるとともに、部品点数および組付工数の削減と組立精度の向上によって、製造コストを削減することができるグランド型ピアノのアクションを提供する。【解決手段】鍵２の押鍵に伴って作動することによって、ハンマー１０を回動させるグランド型ピアノのアクション１であって、合成樹脂の成形品で構成され、押鍵された鍵２で突き上げられることにより上方に回動するウィッペン３と、このウィッペン３に回動自在に取り付けられ、ウィッペン３の回動に伴い、ハンマー１０を突き上げ、上方に回動させるジャック５と、ウィッペン３と一体成形され、ウィッペン３から上方に延び、鍵２の離鍵状態におけるジャック５の角度位置を定めるためのスプーン３ａと、を備えている。【選択図】  図１
2004252252.tif 000002
【特許請求の範囲】
【請求項１】
鍵の押鍵に伴って作動することによって、ハンマーを回動させるグランド型ピアノのアクションであって、
合成樹脂の成形品で構成され、押鍵された前記鍵で突き上げられることにより上方に回動するウィッペンと、
このウィッペンに回動自在に取り付けられ、当該ウィッペンの回動に伴い、前記ハンマーを突き上げ、上方に回動させるジャックと、
前記ウィッペンと一体成形され、当該ウィッペンから上方に延び、前記鍵の離鍵状態における前記ジャックの角度位置を定めるためのスプーンと、
を備えていることを特徴とするグランド型ピアノのアクション。
【発明の詳細な説明】
【０００１】
本発明は、鍵の押鍵に伴って作動することにより、ハンマーを回動させるグランド型ピアノのアクションに関する。
【発明の属する技術分野】
【０００２】
【従来の技術】
図３は、従来の一般的なグランドピアノのアクションを示している。このアクション５１は、鍵２の後部に載置された回動自在のウィッペン５３と、ウィッペン５３に回動自在に取り付けられたレペティションレバー４およびジャック５と、両者４、５を復帰方向（同図の反時計方向）に付勢するレペティションスプリング６とを備えている。また、レペティションレバー４およびジャック５の移動をそれぞれ規制するドロップスクリュー７およびレギュレーティングボタン８などを有している。さらに、レペティションレバー４の前部には、シャンクローラ９を介してハンマー１０が載置されている。ウィッペン５３は、木材や合成樹脂で構成されており、合成樹脂の場合、その重量は１０〜１２ｇである。
【０００３】
ジャック５には、前後方向に貫通した状態でジャックボタンスクリュー１１が進退自在に螺合しており、その後端部にはジャックボタン１２が一体に取り付けられている。また、ウィッペン５３の上面には、孔（図示せず）があらかじめ形成されており、この孔にスプーン６３を圧入することにより、スプーン６３がウィッペン５３の上面に立設されている。このスプーン６３は、鉄または真鍮などの金属で構成され、その重量は０．８〜０．９ｇであり、離鍵状態においてジャックボタン１２が当接している。したがって、ジャックボタンスクリュー１１を回すことによって、離鍵状態におけるジャック５の角度位置を調整することが可能である。
【０００４】
この離鍵状態から、鍵２が押鍵されると、ウィッペン５３が突き上げられることにより、レペティションレバー４およびジャック５がウィッペン５３と一緒に上方に回動する。そして、回動したジャック５がシャンクローラ９を介してハンマー１０を突き上げることによって、ハンマー１０が、弦Ｓを打弦する。
【０００５】
また、アップライトピアノのアクションのウィッペンとして、例えば、特許文献１に記載されたものが知られている。このウィッペンは、アルミ材で構成され、ダンパースプーン、バックチェック、バックチェックワイヤおよびブライドルワイヤを一体にプレス成形したものであり、センターピンおよびスプリングなどの部材を省略し、簡単な組立作業により安定したタッチ感および動作状態を得られるようにしている。
【０００６】
【特許文献１】
実願昭５０−６０３６９号（実開昭５１−１３９６２７号）のマイクロフィルム（第３図、第４頁１０〜第５頁３行）
【０００７】
【発明が解決しようとする課題】
しかし、前述したグランドピアノのアクション５１では、ウィッペン５３に取り付けたスプーン６３が、鉄や真鍮などの重い金属で構成されているので、その重量の分、アクション５１全体の重量が大きくなり、鍵２のタッチ重さもその分大きくなってしまう。このため、軽いタッチが求められる場合には、鍵２の前部にタッチ重さを軽くするための鍵重りを取り付けることが必要になることがある。また、アクション５１全体の重量が大きくなることにより、鍵２を押鍵したときのアクション５１の動作も鈍くなり、応答性が低下してしまう。さらに、スプーン６３が、ウィッペン５３の孔に圧入によって取り付けられるので、部品点数および組付工数が多くなり、その分、製造コストが増大する。また、同じ理由から、ウィッペン５３に対するスプーン６３の取付角度がばらつきやすく、組立精度が低くなる。このため、ジャックボタンスクリュー１１によるジャック５の角度位置の調整に手間がかかり、その分、製造コストがさらに増大してしまう。
【０００８】
本発明は、このような課題を解決するためになされたものであり、アクション全体を軽量化することにより、タッチ重さの軽減および応答性の向上を図ることができるとともに、部品点数および組付工数の削減と組立精度の向上によって、製造コストを削減することができるグランド型ピアノのアクションを提供することを目的としている。
【０００９】
【課題を解決するための手段】
この目的を達成するために、本発明は、鍵の押鍵に伴って作動することによって、ハンマーを回動させるグランド型ピアノのアクションであって、合成樹脂の成形品で構成され、押鍵された鍵で突き上げられることにより上方に回動するウィッペンと、このウィッペンに回動自在に取り付けられ、ウィッペンの回動に伴い、ハンマーを突き上げ、上方に回動させるジャックと、ウィッペンと一体成形され、ウィッペンから上方に延び、鍵の離鍵状態におけるジャックの角度位置を定めるためのスプーンと、を備えていることを特徴とする。
【００１０】
この構成によれば、スプーンは、合成樹脂の成形品で構成されたウィッペンに一体成形されているので、金属で構成された従来のスプーンと比較して、重量が小さくなり、それにより、アクション全体の重量が小さくなる。その結果、タッチ重さの軽減および応答性の向上を図ることができる。また、従来ではスプーンがウィッペンと別部品であったのに対し、本発明ではスプーンがウィッペンに一体成形されるので、その分、部品点数および組付工数を削減できる。さらに、スプーンがウィッペンに一体成形されるので、ウィッペンに対するスプーンの角度のばらつきがほとんどなくなり、ジャックを取り付けたときの組立精度が向上する。その結果、ジャックの角度位置の調整が容易になり、以上によって、製造コストを削減することができる。
【００１１】
【発明の実施の形態】
以下、本発明の好ましい実施形態を、図面を参照しながら説明する。図１は、本発明の実施形態によるグランドピアノのアクション１を示している。なお、以下の説明では、アクション１の構成要素のうち、図３に示した従来のアクション５１と同じ構成のものについては、同じ参照番号を用いるものとする。
【００１２】
同図に示すように、このグランドピアノのアクション１は、前後方向に延びる鍵２の支点（図示せず）よりも後方で且つ鍵２の上方に配置されており、後端部を中心として回動自在のウィッペン３と、ウィッペン３に回動自在に取り付けられたレペティションレバー４およびジャック５と、両者４、５を復帰方向（同図の反時計方向）に付勢するレペティションスプリング６とを備えている。また、レペティションレバー４およびジャック５の移動をそれぞれ規制するドロップスクリュー７およびレギュレーティングボタン８などを有している。
【００１３】
このアクション１は、鍵２を載置する筬（図示せず）の左右端部にそれぞれ設けられたブラケット１４（図１に一方のみ図示）に取り付けられている。左右のブラケット１４、１４間には、ウィッペンレール１５が渡されており、このウィッペンレール１５にねじ止めした各ウィッペンフレンジ１６に、ウィッペン３の後端部が回動自在に取り付けられている。
【００１４】
ウィッペン３は、ＡＢＳなどの耐衝撃性に優れた合成樹脂の成形品で構成されている。このウィッペン３は、断面が矩形状で前後方向に延びており、その中央部に下方に突出するウィッペンヒール１７を有するとともに、鍵２の上面後端部に設けられたキャプスタンスクリュー１８に、ウィッペンヒール１７を介して載置されている。また、図２に示すように、ウィッペン３の前部の所定位置には、ジャック５の角度位置を定めるためのスプーン３ａが、上方に延びるようにウィッペン３と一体成形されている。このスプーン３ａの前面の上端部には、離鍵状態において、ジャックボタン１２が当接している。このスプーン３ａは、細長い三角形の側面形状を有している。また、ジャックボタン１２との当接位置は、図３に示した従来のスプーン６３と同じに設定されており、それにより、離鍵状態におけるジャック５の角度が従来と同じになっている。また、スプーン３ａの部分の重さは、例えば０．３〜０．５ｇであり、従来のスプーン６３（０．８〜０．９ｇ）と比較して小さくなっている。
【００１５】
レペティションレバー４は、斜め前上がりに前後方向に延びており、その中央部でウィッペン３に回動自在に取り付けられている。レペティションレバー４の前部の所定位置には、上下方向に貫通するジャック案内孔４ａが前後方向に延びるように形成されている。
【００１６】
ジャック５は、上下方向に延びるハンマー突上部５ａと、その下端から前方にほぼ直角に延びるレギュレーティングボタン当接部５ｂとから、Ｌ字状に形成されており、その角部においてウィッペン３に回動自在に取り付けられている。ハンマー突上部５ａの上端部は、レペティションレバー４のジャック案内孔４ａに、前後方向に移動自在に係合するとともに、離鍵状態においては、シャンクローラ９と微小な間隔を存して対向している。
【００１７】
また、ジャック５のハンマー突上部５ａの中間部には、ジャック５の角度位置を調整するためのジャックボタンスクリュー１１が、前後方向に貫通した状態で進退自在に螺合している。ジャックボタンスクリュー１１の先端部には、ジャックボタン１２が一体に設けられており、このジャックボタン１２は、離鍵状態では、スプーン３ａに当接している。したがって、このジャックボタンスクリュー１１を回すことによって、離鍵状態におけるジャック５の角度位置を調整することが可能である。
【００１８】
一方、ハンマー１０は、前後方向に延びるハンマーシャンク１９と、その先端に取り付けたハンマーヘッド２０で構成されており、ハンマーシャンク１９の基端部において、ハンマーシャンクレール２１にねじ止めしたハンマーシャンクフレンジ２２に回動自在に取り付けられている。シャンクローラ９は、例えば、内側のクロスとその外側に巻いたスキンとから円柱状に形成されており、ハンマーシャンク１９の下面前部の所定位置に取り付けられている。シャンクローラ９は、レペティションレバー４の上面のジャック案内孔４ａ付近に、これをまたいだ状態で載置されている。また、ハンマーシャンクフレンジ２２の下面には、レペティションレバー４の上方への回動を規制するドロップスクリュー７が進退自在に螺合し、レバースキン２３を貼り付けたレペティションレバー４の前端部と所定の間隔をもって対向している。
【００１９】
ハンマーシャンクレール２１の下面には、レギュレーティングレール２４がねじ止めされており、また、レギュレーティングレール２４の下面に、ジャック５の上方への回動を規制するレギュレーティングボタン８が進退自在に螺合しており、ジャック５のレギュレーティングボタン当接部５ｂの前端部と所定の間隔をもって対向している。
【００２０】
次に、上記構成のアクション１の動作を、図１を参照しながら説明する。図１に示す離鍵状態から鍵２が押鍵されると、ウィッペン３が突き上げられることにより回動し、レペティションレバー４およびジャック５がウィッペン３と一緒に上方に移動する。これらの移動に伴い、まず、レペティションレバー４がシャンクローラ９を摺動させながらこれを介してハンマー１０を押し上げ、上方に回動させる。次いで、レペティションレバー４がドロップスクリュー７に係合することにより、その回動が阻止されることで、ジャック５がシャンクローラ９を介してハンマー１０を突き上げる。その後、ハンマー１０が、上方に張られた弦Ｓを打弦する直前まで回動した時点で、ジャック５が、レギュレーティングボタン８に係合し、その回動が阻止されることによって、シャンクローラ９から抜ける。これにより、ハンマー１０は、アクション１および鍵２との連結を解かれ、自由回動状態で弦Ｓを打弦する。
【００２１】
また、打弦後、鍵２が離鍵され、ある程度まで戻されたタイミングで、レペティションレバー４が動き始め、レペティションスプリング６のばね力で反時計方向に復帰回動することによって、シャンクローラ９を摺動させながら押し上げる。これにより、ジャック５は、レペティションスプリング６のばね力で反時計方向に復帰回動し、ジャックボタン１２がスプーン３ａに当接することにより離鍵状態に復帰する。
【００２２】
以上のように、本実施形態によれば、スプーン３ａは、合成樹脂の成形品で構成されたウィッペン３に一体成形されているので、金属で構成された従来のスプーン６３と比較して、重量が小さくなり、それによって、アクション１全体の重量が小さくなる。その結果、タッチ重さの軽減および応答性の向上を図ることができる。また、従来ではスプーン６３がウィッペン５３と別部品であったのに対し、スプーン３ａがウィッペン３に一体成形されているので、その分、部品点数および組付工数を削減できる。さらに、スプーン３ａがウィッペン３に一体成形されるので、ウィッペン３に対するスプーン３ａの角度のばらつきがほとんどなくなり、ジャック５を取り付けたときの組立精度が向上する。その結果、ジャック５の角度位置の調整が容易になり、以上によって、製造コストを削減することができる。
【００２３】
なお、本発明は、説明した実施形態に限定されることなく、種々の形態で実施することができる。例えば、説明した実施形態では、本発明をアコースティック型のグランドピアノに適用した例であるが、これに代えて、グランド型の電子ピアノに適用してもよいことは、もちろんである。その他、本発明の趣旨の範囲内で、細部を適宜、変更することが可能である。
【００２４】
【発明の効果】
以上詳述したように、本発明のグランド型ピアノのアクションは、アクション全体を軽量化することにより、タッチ重さの軽減および応答性の向上を図ることができるとともに、部品点数および組付工数の削減と組立精度の向上によって、製造コストを削減することができるなどの効果を有している。
【図面の簡単な説明】
【図１】本発明の実施形態を適用したグランドピアノのアクションを含む鍵盤装置の側面図である。
【図２】図１のウィッペンの斜視図である。
【図３】従来のグランドピアノのアクションを含む鍵盤装置の側面図である。
【図４】図３のウィッペンの斜視図である。
【符号の説明】
１  アクション
２  鍵
３  ウィッペン
３ａ  スプーン
５  ジャック
１０  ハンマー
【図１】
2004252252.tif 000003
【図２】
2004252252.tif 000004
【図３】
2004252252.tif 000005
【図４】
2004252252.tif 000006